(57)【要約】【課題】  遊技機において遊技盤を合理的に取付けるのに資する技術を提供することを目的とする。【解決手段】  遊技盤１３１と、遊技盤１３１が取付けられる遊技機本体部の取付枠１１１とを有し、遊技盤１３１を遊技機本体部の前方から取付枠１１１に取付ける遊技機であって、遊技盤１３１に電気接点１９１ａが設けられており、当該電気接点１９１ａは、遊技盤１３１が取付枠１１１に取付けられる際に、当該取付動作に基づいて取付枠１１１側に設けた電気接点１９１ｂに接続される構成としたことを特徴とする遊技機。【選択図】  図２０
2010115546.tif 000002
【特許請求の範囲】
【請求項１】
遊技盤と、前記遊技盤が取付けられる遊技機本体部の取付枠とを有し、前記遊技盤を前記遊技機本体部の前方から前記取付枠に取付ける遊技機であって、
前記遊技盤に電気接点が設けられており、当該電気接点は、前記遊技盤が前記取付枠に取付けられる際に、当該取付動作に基づいて前記取付枠側に設けた電気接点に接続される構成としたことを特徴とする遊技機。
【発明の詳細な説明】
【技術分野】
【０００１】
本発明は、パチンコ、アレンジボール等の遊技機における遊技盤の合理的な取付け技術に関する。
【背景技術】
【０００２】
遊技機における遊技盤の取付け技術に関する一例が特許文献１（特開２００１−０４６６８８号公報）に開示されている。この開示文献においては、遊技機の前扉枠の背面に保持部を設け、その保持部に形成された挿入空間の入口から遊技盤を挿入して当該挿入空間に収容することにより、前扉枠に遊技盤を取付ける技術が記載されている。
【０００３】
上記開示技術は、前扉枠の背面に遊技盤を収容可能な挿入空間を形成し、その挿入空間に遊技盤を側方から挿入することにより、前扉枠への遊技盤の止着容易性を追求する構成である。しかし、上記開示技術では、遊技盤の奥行き（前後方向）形状を入口の形状に合わせなければならず、奥行き形状に制約を受けるという点に問題がある。また遊技盤の取付けに際しては、当該遊技盤に配置された図柄表示装置等のための電気配線の接続作業が煩雑であるため、前扉枠に遊技盤を取付ける構成とは別に、かかる電気配線接続作業の合理化も含めて、遊技盤を遊技機本体に合理的に止着する技術の開発が要請される。
【先行技術文献】
【特許文献】
【０００４】
【特許文献１】特開２００１−０４６６８８号公報
【発明の概要】
【発明が解決しようとする課題】
【０００５】
本発明は、かかる点に鑑みてなされたものであり、遊技機において遊技盤を合理的に取付けるのに資する技術を提供することを目的とする。
【課題を解決するための手段】
【０００６】
上記課題を達成するため、特許請求の範囲の請求項に記載の発明が構成される。
請求項１に記載の発明によれば、遊技盤と、遊技盤が取付けられる遊技機本体部の取付枠とを有し、遊技盤を遊技機本体の前方から取付枠に取付ける遊技機が構成される。遊技機としては、典型的にはパチンコ機やアレンジボール機等がこれに該当する。なお「遊技盤を遊技機本体の前方から取付枠に取付ける」態様としては、取付枠に設けた遊技盤支持部材に遊技盤を支持した後、当該遊技盤支持部材を介して遊技盤を概ね水平状に回動させて当該取付枠に前方から取付ける態様、取付枠の一側縁部に対し遊技盤の一側縁部を、凹部あるいは溝部とそれに嵌る凸部を介して係合した後、当該係合部を支点にして遊技盤を概ね水平状に回動させて当該取付枠に取付ける態様、取付枠の一側縁に設けた係合部材に遊技盤の一側縁部を係合させて取付枠に前方から取付ける態様等を好適に包含する。
【０００７】
本発明に係る遊技機においては、遊技盤に電気接点が設けられており、当該電気接点は、遊技盤が取付枠に取付けられる際に、当該取付動作に基づいて取付枠側に設けた電気接点に接続される構成とされる。かかる構成によれば、遊技盤を取付枠に取付ける際に、当該遊技盤を取付枠に取付ける動作に基づいて、電気接点の接合作業が同時に行えるため、合理的な遊技盤の取付けに資することになる。
【発明の効果】
【０００８】
本発明によれば、遊技機において遊技盤を合理的に取付けるのに資する技術が提供されることとなった。
【図面の簡単な説明】
【０００９】
【図１】本発明の第１の実施形態である遊技機の全体構成を示す斜視図であり、遊技盤が止着された状態が示される。
【図２】同じく遊技機の全体構成を示す斜視図であり、遊技盤が止着されていない状態が示される。
【図３】遊技盤支持部材および取付枠を含む遊技機本体部の構成を示す正面図であり、遊技盤が止着されていない状態が示される。
【図４】図３におけるＡ−Ａ線断面図である。
【図５】図４におけるＢ部の拡大図である。
【図６】遊技盤支持部材の詳細な構造を示す斜視図である。
【図７】遊技盤の構造を示す正面図である。
【図８】遊技盤の構造を示す側面図である。
【図９】遊技盤の構造を示す側面図である。
【図１０】遊技盤が止着された状態の遊技機を背面側から示す斜視図である。
【図１１】コネクタを介して電気的に接続される遊技盤側の電気機器と遊技機本体部側の電気機器とを示すブロック図である。
【図１２】本発明の第２の実施の形態に係る遊技機本体部の取付枠を前方から見た正面図であり、遊技盤が止着されていない状態が示されている。
【図１３】第２の実施形態に係る遊技盤の裏面側を示す背面図である。
【図１４】第２の実施形態に係る遊技盤側コネクタの位置調整構造を説明する図であり、遊技機背面側から見た概略図である。
【図１５】同じく遊技盤側コネクタの位置調整構造を説明する概略縦断面図である。
【図１６】同じく遊技盤側コネクタの位置調整構造を説明する概略平断面図である。
【図１７】本発明の第３の実施形態に係る遊技機本体部の取付枠を前方から見た正面図であり、遊技盤が止着されていない状態が示されている。
【図１８】同じく遊技機本体部の取付枠を前方から見た斜視図であり、遊技盤が止着されていない状態が示されている。
【図１９】第３の実施形態に係る遊技盤の裏面側を示す背面図である。
【図２０】第３の実施形態に係る取付枠に対する遊技盤の取付態様およびコネクタの係合態様を示す断面図であり、（Ａ）は遊技盤が取付枠の係合部材と遊技盤装着凹部との間に挿入する態様を示し、（Ｂ）は遊技盤が取付枠の遊技盤装着凹部に嵌め込まれ、かつコネクタが係合された状態を示す。
【発明を実施するための形態】
【００１０】
（第１の実施形態）
以下、本発明の第１の実施形態である遊技機１０１につき図面を参照しつつ詳細に説明する。本実施の形態では、遊技機１０１としてパチンコ機が用いられている。図１に示すように、本実施の形態に係る遊技機１０１は、遊技機本体部１０３に設けられた取付枠１１１、遊技盤１３１および遊技盤支持部材１５１を有する。取付枠１１１が本発明における「取付枠」に対応する。
【００１１】
遊技機１０１を構成する各要素のうち、遊技機本体部１０３、取付枠１１１、遊技盤支持部材１５１の構成が図２〜図５に示される。遊技機１０１の前面部を構成する前枠部およびガラス窓については、便宜上図示を省略している。なお、図２〜図５では遊技盤１３１が止着されていない状態が示されている。また遊技機支持部材１５１の詳細な構造が図６に示され、遊技盤１３１の詳細な構造が図７、図８および図９に示される。
【００１２】
図２および図３に示すように、取付枠１１１は、遊技機１０１の基体をなす遊技機本体部１０３の前面側に配置される。取付枠１１１の上方側縁部には、後述する遊技盤１３１側のコネクタ１３７ｂと係合可能に構成されたコネクタ１７３ｂが配設されている。コネクタ１３７ｂと１７３ｂとは一対の雄雌形状に構成される（図１０参照）。また取付枠１１１の前面側には、当該取付枠１１１の前面から後側（奥側）に凹む遊技盤装着凹部１１１ａが形成されている。遊技盤装着凹部１１１ａは、遊技盤１３１の外郭形状（図７参照）に対応する概ね方形状に形成されており、当該遊技盤装着凹部１１１ａに対し遊技盤１３１が遊技盤支持部材１５１を介して前面側から嵌まり込むようにして装着される構成とされる。また取付枠１１１の下縁領域には、遊技盤装着凹部１１１ａに装着された遊技盤１１１を止着するべく、遊技盤上下付勢機構付きロック手段１１５および遊技盤押し出し機構付きロック手段１１９が配置されている。前者は、ロックハンドル１１７をマニュアルで回動操作することにより、遊技盤１３１の下縁に設けられた上下付勢ロック用係止部１１５に下方への付勢力を作用しつつ着脱自在に係合する。また後者は、ロックハンドル１２１をマニュアルで回動操作することにより遊技盤１３１に着脱自在に係合する。
【００１３】
特に図示しないものの、後者のロック手段１１９では、遊技盤１３１への係止が解除されるようにロックハンドル１２１を回動する際、当該ロックハンドル１２１の回動動作とともに遊技盤１３１と取付枠１１１との間に楔状の離間手段が侵入可能に構成される。これにより遊技盤１３１のロック解除時には、遊技盤１３１が取付枠１１１の遊技盤装着凹部１１１ａから前方に押し出され、遊技盤１３１の取り外しを容易とする。
【００１４】
図６に示すように、遊技盤支持部材１５１は、金属プレートを適宜曲折することにより、上下方向に延在する回動部１５５と、当該回動部１５５の上下端部領域から水平方向へと交差状に突出する遊技盤支持部１５７および遊技盤傾動規制部１５９とが一体状に成形されてなり、各部によって囲まれる空間領域が遊技盤収容部１７１を構成する。すなわち、遊技盤支持部材１５１は、回動部１５５を構成する縦部材と、遊技盤支持部１５７を構成する下側の横部材と、遊技盤傾動規制部１５９を構成する上側の横部材とからなり、全体としてコ字形に形成されている。なお上記の遊技盤収容部１７１は本発明における「凹部」に対応する。また回動部１５５、遊技盤支持部１５７、および遊技盤傾動規制部１５９を構成する縦横の各部材は、断面コ字形に形成されており、それぞれが溝１５５ａ，１５７ａ，１５９ａを有する構成とされる。この溝１５５ａ，１５７ａ，１５９ａが上記の遊技盤収容部１７１を構成している。そして遊技盤１３１は、遊技機１０１の前方から見て、左側縁部および上下縁部の一部が遊技盤支持部材１５１を構成する縦横の各部材の溝１５５ａ，１５７ａ，１５９ａ内に横方向（水平方向）から差し込まれた状態で取り付けられる。
【００１５】
遊技盤支持部１５７は、遊技盤支持部材１５１に取り付けられた遊技盤１３１（図１参照）の重量を支持する。また遊技盤傾動規制部１５９は、遊技盤支持部材１５１に取り付けられた遊技盤１３１の上縁部に当接し、遊技盤１３１がその下端部周りに回動して遊技盤支持部材１５１から脱落するのを未然に防止するよう構成される。また遊技盤収容部１７１は、遊技盤１３１の左側所定領域を収容する。なお遊技盤傾動規制部１５９には、遊技盤収容部１７１に向かって内側に突出した付勢凸部１６１が形成されている。付勢凸部１６１は、遊技盤１３１が遊技盤収容部１７１に収容される際に、当該遊技盤１３１の上縁部に、付勢力を作用しつつ密着状に接触する。また遊技盤収容部１７１の先端領域には、間口を拡幅した遊技盤誘導部１６３が形成され、遊技盤１３１を遊技盤収容部１７１に挿通するのを容易にする。遊技盤誘導部１６３は本発明における「遊技盤誘導手段」に対応する。
【００１６】
遊技盤支持部材１５１の遊技盤収容部１７１に収容された遊技盤１３１は、遊技盤支持部材１５１の前面支持板部と後面支持板部とによって前後方向の移動を規制された状態で取り付けられる。そして図６に示すように、遊技盤支持部材１５１の前面支持板部および後面支持板部のうち、特に回動部１５５を構成している縦部材の前面支持板部１５５ｂは、後面支持板部１５５ｃよりも左右方向の横幅が狭く設定されている。これにより、遊技盤１３１が遊技盤支持部材１５１に取付けられた状態において、当該前面支持板部１５５ｂによる遊技盤１３１の側縁前面部位の被覆領域が少なくなり、遊技盤１３１の遊技領域１３３の狭小化が回避される。
【００１７】
遊技盤支持部材１５１は、遊技機１０１の前方から見て、取付枠１１１の左側縁部の内側に配置されるとともに、当該遊技盤支持部材１５１の上下端部に設置された回転ヒンジ１５３を介して取付枠１１１に水平面内を回動可能に取付けられる。本実施の形態では、図１に示すように、取付枠１１１に対し開いた位置（以下、遊技盤着脱位置Ａという）と、取付枠１１１に対し閉じた位置（以下、遊技盤止着位置Ｂという）との間で回動する。図１では、遊技盤１３１が装着された遊技盤支持部材１５１が遊技盤止着位置Ｂに置かれた状態を示す。なお遊技盤着脱位置Ａは、本発明における「第１の位置」に対応し、遊技盤止着位置Ｂは、本発明における「第２の位置」に対応する。
【００１８】
また遊技盤支持部材１５１は、図４および図５に示すように、遊技盤支持部１５７の下面が、取付枠１１１の前面側に形成された遊技盤装着凹部１１１ａを構成する所定幅の凹部下面（遊技盤装着凹部１１１ａの下縁部上面）１１１ｂ、および当該凹部下面１１１ｂの左端部から前方に概ね水平状に延出して形成される重量支持部材１０９の上面１０９ａとに載置した状態で、遊技盤着脱位置Ａと遊技盤止着位置Ｂとの間で回動する構成とされている。これにより、遊技盤支持部材１５１が遊技盤着脱位置Ａと遊技盤止着位置Ｂとの間で回動動作する際、その全回動領域にわたって遊技盤１３１の重量の多くを、取付枠１１１の凹部下面１１１ｂと重量支持部材１０９の上面１０９ａとによって受けることができる。上記の取付枠１１１の凹部下面１１１ｂおよび支持部材１０９の上面１０９ａにより、本発明における「重量支持部」が構成されている。
【００１９】
また重量支持部材１０９の上面には、遊技盤支持部材１５１が遊技盤止着位置Ｂ（図５に実線で示す位置）から遊技盤着脱位置Ａ（図５に二点鎖線で示す位置）へ回動する際、当該遊技盤支持部材１５１の前端に当接することで当該遊技盤支持部材１５１（および遊技盤１３１）の回動を規制するオーバーラン防止用としての固定形式の回転位置規制突起１０９ｂが突設されている。これにより遊技盤支持部材１５１が遊技盤着脱位置Ａを乗り越えて（ガイド部材１０９の上面１０９ａ領域を外れて）回動することを防止する。固定式の回転位置規制突起１０９ｂは、本発明における「回転位置規制部」に対応する。
【００２０】
また図４および図５に示されるように、取付枠１１１のうち遊技盤支持部材１５１が配置される側の側縁には、遊技盤着脱位置Ａに置かれた遊技盤支持部材１５１が遊技盤止着位置Ｂ方向へ回動しようとする際に、当該遊技盤支持部材１５１の側縁部の端面に弾発的に当接することで、当該遊技盤支持部材１５１の回動を規制する、すなわち遊技盤支持部材１５１に対して遊技盤着脱位置Ａ側へ回動させる方向に所定の付勢力を付与する弾性変形可能な回転位置保持突起１１３が設けられる。これにより遊技盤着脱位置Ａに置かれた遊技盤支持部材１５１（および遊技盤１３１）を当該位置Ａに保持するように機能する。すなわち、遊技盤着脱位置Ａに置かれた遊技盤支持部材１５１は、弾性変形式の回転位置保持突起１１３により付与される付勢力を介して固定式の回転位置規制突起１０９ｂに押し付けられた状態で遊技盤着脱位置Ａに保持される構成とされる。従って、遊技盤支持部材１５１の遊技盤着脱位置Ａ付近での回動動作は、回転位置保持突起１１３を弾性変形させ得る外力（回動力）を付与することで可能とされる。
【００２１】
遊技盤支持部材１５１は、さらに図６に示すように、回転ヒンジ側、すなわち遊技盤支持部材側コネクタ１７３ａを有する。コネクタ１７３ａは金属プレートを曲折して中空体状に形成されてなり、遊技盤１３１側の電気機器と遊技機本体部１０３側の電気機器とを接続するための電気接点が内部に複数配設されている。コネクタ１７３ａは、遊技盤１３１が遊技盤支持部材１５１に取付けられる際に、当該遊技盤１３１の取付動作に応じて、後述する遊技盤１３１側コネクタ１３７ａと係合される（図９、図１０参照）。
上記のコネクタ１７３ａ，１３７ａの係合動作を円滑に行わせるべく、遊技盤支持部材１５１の遊技盤支持部１５７が遊技盤側コネクタ１３７ａを案内するコネクタガイド機能を備えた構成とされる。すなわち、遊技盤１３１を遊技盤支持部１５７のコ字形の溝１５７ａに挿入して溝底面によって当該遊技盤１３１の重量を支持した状態では、遊技盤支持部材側コネクタ１７３ａと遊技盤側コネクタ１３７ａが互いに対向（高さおよび概ね前後方向が相互に一致）する構成とされ、さらに遊技盤１３１の重量を支持した状態で当該遊技盤１３１をスライドさせたときの当該スライド方向が両コネクタ１７３ａ，１３７ａの係合方向と一致する構成とされている。上記の遊技盤支持部１５７は、本発明における「遊技盤案内部」に対応する。
【００２２】
また図示については省略するが、遊技盤支持部材側コネクタ１７３ａの後部に接続されている配線は、遊技盤支持部材１５１が取付けられている前面枠１０７の取付枠部１１１に形成された配線用開口部を通して外側へと引き出された後、当該取付枠部１１１の側縁部に形成された配線用溝１１１ｃ（図１０参照）内に収められた状態で上方あるいは下方へ向う構成とされている。また遊技盤１０１の前方から見て、左側（ヒンジ側）に配置される一対のコネクタを構成する一方の遊技盤側コネクタ１３７ａは、遊技盤１３１の後面の左側端部寄りに配置され、他方の遊技盤支持部材側コネクタ１７３ａは、遊技盤支持部材１５１の回動部１５５を構成する縦部材の後側外面、すなわち後面支持板部１５５ａに取付けられている。
【００２３】
遊技盤支持部材１５１の遊技盤収容領域にコネクタ１７３ａを配置した場合、当該コネクタ１７３ａの奥行き幅（コネクタの接続方向寸法）に相当する分だけ遊技盤収容領域を大きく設定しなければならず、その結果として遊技盤支持部材１５１が必然的に大型化することになる。本実施の形態では、遊技盤支持部材側コネクタ１７３ａを、当該遊技盤支持部材１５１の回動部１５５を構成する縦部材の後側外面に配置したので、遊技盤支持部材１５１の遊技盤収容領域の大きさは、コネクタ１７３ａの影響を受けない。このため、遊技盤支持部材１５１のコンパクト化が実現される。
【００２４】
さらに遊技盤支持部材１５１の正面側には、遊技盤１３１が正しく遊技盤支持部材１５１に取付けられたか否かを目視で確認可能とするべく正常取付状態表示窓１７９が穿設されている。
【００２５】
遊技盤１３１の構造が図７から図９までに示される。遊技盤１３１の正面部を構成する遊技領域１３３には表示装置取付部１３５が形成される。また遊技盤１３１正面の上方側部には、上記した正常取付状態表示窓１７９に対応した正常取付状態表示記号１４１として「ＯＫ」の文字が表示されている。なお、遊技盤領域１３１に配設されるべき釘、入賞部、ゲート部等の盤面構成要素および表示装置取付部１３５に設置されるべき表示装置については、便宜上、図示および詳細な説明を省略する。
【００２６】
また図８および図９に示すように、遊技盤１３１の背面側には、遊技盤側コネクタ１３７ａが配置されている。遊技盤側コネクタ１３７ａは、金属プレートを曲折することで形成され、内部に複数の電気接点１３９が配置される。このうちコネクタ１３７ａは、遊技盤１３１を遊技盤支持部材１５１に取り付ける動作を介して、上記した遊技盤支持部材１５１側のコネクタ１７３ａにワンタッチ状に係合可能とされる。またコネクタ１３７ｂは、遊技盤支持部材１５１に取り付けられた遊技盤１３１を遊技盤止着位置Ｂ（図１参照）へ回動する動作を介して、取付枠１１１側のコネクタ１７３ｂにワンタッチ状に係合可能とされる。
【００２７】
上記のように、遊技盤１３１側に設けられたコネクタ１３７ａ，１３７ｂは、当該遊技盤１３１の遊技盤支持部材１５１に対する取付け、および当該遊技盤支持部材１５１を介しての取付枠１１１に対する取付け動作によって、遊技盤支持部材１５１に設けられたコネクタ１７３ａおよび取付枠１１１に設けられたコネクタ１７３ｂに対して係合され、これにより遊技盤１３１側の電気機器と、遊技機本体部１０３側の電気機器とが電気的に接続されることになる。図１１に遊技盤１３１側の電気機器と遊技機本体部１０３側の電機機器がブロック図によって示されている。遊技盤１３１側の電気機器としては、例えば、表示装置，音声装置ないし発光装置を駆動制御するのに用いられるメイン制御基板１８１やサブ制御基板１８３等がこれに該当し、遊技機本体部１０３側の電気機器としては、例えば、外部端子板１８５，賞球払い出し装置制御用の払い出し制御基板１８７あるいは発射装置制御用の発射制御基板１８９等がこれに該当する。
【００２８】
次に上記のように構成される遊技機１０１への遊技盤１３１の取付け作業の詳細について説明する。遊技盤１３１を遊技機１０１へ取付ける場合、作業者は、遊技盤支持部材１５１を回動させて、遊技盤着脱位置Ａに位置させる。このとき、遊技盤支持部材１５１は、ガイド部材１０９に設けた固定式の回転位置規制突起１０９ｂおよび取付枠１１１に設けた弾性変形式の回転位置保持突起１１３によって当該遊技盤着脱位置Ａに保持される。この状態で、遊技盤１３１を遊技盤支持部材１５１の収容部１７１（図４参照）に取付ける。すなわち、遊技盤１３１の左側縁部の上下端部を遊技盤支持部１５７および遊技盤傾動規制部１５９の溝１５７ａ，１５９ａ内に挿入した後、遊技盤支持部１５７の溝底面に載せ、遊技盤１３１の左側縁部が回動部１５５の溝１５５ａ内に到達するまでスライドさせる。なお遊技盤着脱位置Ａでは、遊技盤支持部材１５１が取付枠１１１および遊技機本体部１０３から離間した位置に配置されるため（図１参照）、これらの部材が遊技盤１３１の取付け作業に干渉することが回避される。
【００２９】
また遊技盤着脱位置Ａでは、遊技盤支持部材１５１が固定式の回転位置規制突起１０９ｂによって前方への回動を規制されるため、遊技盤支持部材１５１が重量支持部材１０９から外れた位置で遊技盤１３１の取付作業が実施されることを防止できる。換言すれば、重量支持部材１０９によって遊技盤１３１の重量を支持した状態で、遊技盤支持部材１５１に対する遊技盤１３１の取付作業の実施を可能とするため、遊技盤支持部材１５１の回転ヒンジ部材１５３の折れ曲がりや折損等を防止できる。また弾性変形式の回転位置保持突起１１３によって遊技盤支持部材１５１を遊技盤着脱位置Ａにふらつきの無い安定状態に保持する構成のため、遊技盤１３１を遊技盤支持部材１５１に取付ける際の作業安定性が確保される。なお取付けに際し、遊技盤１３１は誘導部１６３により容易に収容部１７１に誘導される。かくして、遊技盤１３１の左側側縁が収容部１７１に収容され、遊技盤１３１が遊技盤支持部材１５１に重量を支持された状態で取付けられる。遊技盤１３１が遊技盤支持部材１５１の収容部１７１に収容された状態では、側部および上下を含めた三方で遊技盤１３１を支持し、前後方向の移動を規制する構成のため、遊技盤１３１の前後方向の支持が確実にできる。
【００３０】
この状態では、遊技盤１３１は、遊技盤支持部１５７に載置されることで、しっかりとその重量が支持されており、さらに遊技盤傾動規制部１５９が遊技盤１３１の上縁に当接することにより、遊技盤１３１がその下縁部周りに不用意に傾動して遊技盤支持部材１５１から脱落することが防止される。なお、図６に示す付勢凸部１６１により、遊技盤傾動規制部１５９と遊技盤１３１とは密着状に当接し、確実に係合することが確保されている。
【００３１】
遊技盤１３１が遊技盤支持部材１５１の収容部１７１に正しく取り付けられた場合、遊技盤支持部材１５１の表示窓１７９から、遊技盤１３１の表示記号１４１である「ＯＫ」の文字が視認され、遊技盤１３１が遊技盤支持部材１５１に正常に取付けられたことが容易に確認可能である(図１参照)。なお当該「ＯＫ」の文字が視認されない状態である場合には、遊技盤１３１が遊技盤支持部材１５１に正常に取付けられていない状態であり、この場合には、遊技盤１３１側のコネクタ１３７ａが遊技盤支持部材１５１側のコネクタ１７３ａに正しく接続されていないことが多い。従って「ＯＫ」の文字が完全に視認されるか否かで、遊技機１０１の機械正面側から、裏面に配置されたコネクタの接続状況を確認することが可能となる。すなわち、態様２６または２７に記載の遊技機における表示手段につき、遊技盤の正常取付状態を示すのみならず、さらに遊技盤と遊技盤支持部材（あるいは遊技盤と取付枠等）の間の電気接点の正常装着状態についても視認可能とする態様である。
【００３２】
また上記の態様に代えて、表示記号を「ＯＫ」「ＮＧ」の二つの領域に区分し、表示窓１７９に指標となる突起等のインジケータを設け、遊技盤１３１が正常に取付けられた場合に、当該指標突起が「ＯＫ」を指すといったように、遊技盤の正常取付状態をメータ状に表示する態様、あるいは表示記号を「赤」「青」といった複数の配色領域に区分し、遊技盤１３１が正常に取付けられた場合には指標突起が「青」の配色領域を指すようにするといった態様についても、いずれも好適に採用可能である。
【００３３】
さらに遊技盤１３１が遊技盤支持部材１５１に取付けられる際、遊技盤１３１側のコネクタ１３７ａは、当該遊技盤１３１の取付け動作を介して、遊技盤支持部材１５１側のコネクタ１７３ａに係合する。コネクタ１３７ａおよび１７３ａは、一対の雄雌形状に形成され、ワンタッチ状に係合可能である。これによって各コネクタ１３７ａ，１７３ａ内の各種電気接点同士が接続され、遊技盤１３１側の電気機器と遊技機本体部１０３側の電気機器が相互に電気的に接続されることとなる。
この場合、前述したように、遊技盤支持部材１５１の遊技盤支持部１５７には、コネクタガイド機能が備えられているため、遊技盤１３１を遊技盤支持部材１５１の遊技盤支持部１５７の溝１５７ａと遊技盤傾動部材１５９の溝１５９ａに挿入した後、遊技盤支持部１５７の溝底に載せてスライドすれば、遊技盤側コネクタ１３７ａが遊技盤支持部材側コネクタ１７３ａに向って誘導され、これによりコネクタ１７３ａ，１３７ａの係合動作を円滑に行うことができる。
【００３４】
次に、遊技盤１３１が取付けられた状態で、遊技盤支持部材１５１を遊技盤着脱位置Ａから遊技盤止着位置Ｂへと、回転ヒンジ部材１５３を中心に水平に回動させる（図１参照）。これにより遊技盤支持部材１５１に取付けられた遊技盤１３１は、遊技盤支持部１５７にその重量を支持された状態で、遊技盤止着位置Ｂへ容易に移動させることが可能である。すなわち遊技盤１３１を遊技盤支持部材１５１に取付けた後では、遊技盤１３１を作業者が自ら持ち上げて保持する必要がなくなる。
【００３５】
遊技盤１３１が遊技盤着脱位置Ａから遊技盤止着位置Ｂへと回動状に移動される際、遊技盤１３１側のコネクタ１３７ｂは、当該遊技盤１３１の回動動作によって取付枠１１１側のコネクタ１７３ｂに係合する。コネクタ１３７ｂおよび１７３ｂは、一対の雄雌形状に形成され、ワンタッチ状に係合可能である。これにより、各コネクタ１３７ｂ，１７３ｂ内の各種電気接点同士が接続され、遊技盤１３１側の電気機器と遊技機本体部１０３側の電気機器が相互に電気的に接続されることとなる（図１０および図１１参照）。
【００３６】
なお、遊技盤１３１、遊技盤支持部材１５１および取付枠１１１における寸法公差ないし組み付け誤差等の影響により、遊技盤１３１を遊技盤取付部１５１に取付ける際、あるいは遊技盤１３１が遊技盤止着位置Ｂへと回動して取付枠１１１に係合する際、コネクタ１３７ａと１７３ａ，コネクタ１３７ｂと１７３ｂが相対的に位置ずれを起こし、うまく係合できない場合が生じ得る。このような場合に対処するべく、コネクタ１３７ａ，１３７ｂの遊技盤１３１への取付部、コネクタ１７３ａの遊技盤支持部材１５１への取付部、およびコネクタ１７３ｂの取付枠１１１への取付部に関しては、特に図示しないものの、それらの全部または一部につき、取付用ビスに対する係合孔を長孔状に形成して対処している。すなわちビスに対する係合孔の位置関係を適宜シフトさせることで、コネクタの止着位置を適宜変化させ、各コネクタ同士の位置関係を微調整することが可能に構成されている。
【００３７】
かくして図１に示すように、遊技盤１３１が遊技盤支持部材１５１に取付けられた状態で遊技盤着脱位置Ａから遊技盤止着位置Ｂへと回動状に移動され、取付枠１１１の遊技盤装着凹部１１１ａに嵌まり込む。この状態で、ロック手段１１５および１１９を介して取付枠１１１に止着される。このうちロック手段１１５においては、遊技盤１３１に設けられた係止部１４３が当該ロック手段１１５によって上下方向に付勢されることにより、遊技盤１３１は取付枠１１１に確実に係止されることが可能である。また遊技盤１３１を取付枠１１１から取り外す場合には、ロック手段１１９が遊技盤１３１を前方に押し出すように構成されるため、遊技盤１３１は取付枠１１１から所定量離間されて、その後の遊技盤１３１の取り外しの便宜を図る。
【００３８】
また遊技盤１３１の遊技盤支持部材１５１への取付動作（遊技盤１３１の収容部１７１への収容動作）、および遊技盤１３１の取付枠１１１への回動動作により、遊技機１０１の背面側斜視図である図１０に示すように、遊技盤１３１側のコネクタ１３７ａが遊技盤支持部材１５１側のコネクタ１７３ａとワンタッチ状に係合し、遊技盤１３１側のコネクタ１３７ｂが取付枠１１１側のコネクタ１７３ｂとワンタッチ状に係合する。従って、遊技盤１３１の取付によって、遊技盤１３１側の電気機器と遊技機本体部１０３側との電気機器との接続が自動的に遂行されることとなり、遊技盤１３１取付作業の合理化を促進することが可能となる。
【００３９】
（第２の実施形態）
次に本発明の第２の実施形態を図１２および図１３に基づいて説明する。図１２は遊技機本体部１０３の取付枠１１１を前方から見た正面図であり、遊技盤１３１が止着されていない状態が示されている。図１３は遊技盤１３１の裏面側を示す背面図である。
遊技機本体部１０３の背面側には、遊技機を前方から見た左側縁部をヒンジ側（回動支点側）として機構盤が後方に回動可能に取付けられ、そして当該機構盤の背面側に、図１２に点線で示すように、球タンク１９３、タンクレール１９５、払い出し装置１９７等が配置されている。これらは、島設備から供給され、帯電の可能性が高い多量の球を貯留し、通過させる。この場合、帯電した球の通過領域の近くに、例えば各種の制御基板を接続するための電気配線等が存在していると、球に帯電した静電気に原因して当該電気配線に電気ノイズの影響を及ぼす可能性がある。
【００４０】
第２の実施形態においては、かかる電気ノイズの影響を可及的に回避するべく構成したものである。すなわち、第２の実施形態は、コネクタ１９１ａ，１９１ｂおよびそれに連なる電気配線（図示省略）が、球タンク１９３、タンクレール１９５、および払い出し装置１９７を通過する球に帯電した静電気の影響を受けないようにするために、当該コネクタ１９１ａ，１９１ｂの接続部位を、球タンク１９３、タンクレール１９５、および払い出し装置１９７から可及的に離間した位置に設定する構成としたものである。より具体的には、コネクタ１９１ａ，１９１ｂおよびそれに連なる電気配線（図示省略）が、帯電した球の静電気の影響を避けることが可能な位置、すなわち遊技機の前方から見て、右側縁部下方領域に配置された構成としている。上記の帯電した球の静電気の影響を避けることが可能な位置、すなわち、右側縁部下方領域が、本発明における「電気ノイズ干渉回避位置」に対応する。また上記の球タンク１９３、タンクレール１９５、および払い出し装置１９７が、本発明における「球流下経路」に対応する。なお図１３に示すように、遊技盤１３１の背面側下部領域には、電気機器が配置される構成とされ、当該電気機器の一例として、メイン制御基板１８１、サブ制御基板１８３が簡略に図示されている。また遊技盤１３１の概ね中央部には、表示装置取付部１３５が形成されている。
【００４１】
第２の実施形態は、遊技盤１３１を取付枠１１１に対して前方から取付ける遊技盤取付構造において、コネクタ１９１ａ，１９１ｂの接続部位を遊技機１０１の前方から見て、右側縁部下方領域に配置する構成としたものであるが、遊技盤１３１の取付枠１１１に対する前方からの取付けは、前述した第１の実施形態と同様に遊技盤支持部材１５１を介して行う構成としている。なお前述した第１の実施形態では、遊技盤１３１側の電気機器と遊技機本体部１０３側の電気機器との電気的接続を、遊技盤１３１と遊技盤支持部材１５１との間に設けたコネクタ１３７ａ，１７３ａと、遊技盤１３１と取付枠１１１との間に設けたコネクタ１３７ｂ，１７３ｂとを用いて２箇所で行う構成としたが、第２の実施形態では、上記の遊技盤１３１と遊技盤支持部材１５１との間に設けたコネクタを廃止し、遊技盤１３１と取付枠１１１との間に設けたコネクタ１９１ａ，１９１ｂを用いて、遊技盤１３１側の電気機器と遊技機本体部１０３側の電気機器との電気的な接続を一箇所で行う構成としている。
【００４２】
図１３に示すように、遊技盤１３１の背面視における左側縁部下方領域には、遊技盤側コネクタ１９１ａが配置され、図１２に示すように、取付枠１１１の遊技盤装着凹部１１１ａの右側縁部下方領域には、取付枠側コネクタ１９１ｂが配置されている。遊技盤側コネクタ１９１ａと取付枠側コネクタ１９１ｂとは、相互に対向するように位置決めされており、遊技盤１３１が遊技盤支持部材１５１を介して遊技盤着脱位置Ａから遊技盤止着位置Ｂへと回動される際、当該回動動作により係合され、それに伴いコネクタ１９１ａ，１９１ｂに備えられた電気接点が相互に接続される構成とされる。
【００４３】
上記のように、第２の実施形態によれば、コネクタ１９１ａ，１９１ｂの接続部位を、帯電した球が貯留され通過する、球タンク１９３、タンクレール１９５、払い出し装置１９７等から離間した右側縁部下方領域に設定する構成としたことにより、コネクタ１９１ａ，１９１ｂおよびそれに連なる電気配線に及ぼす静電気による電気ノイズの影響を合理的に回避あるいは低減することが可能となった。またコネクタ１９１ａ，１９１ｂは、遊技盤１３１を取付枠１１１に取付ける際、回動支点側とは反対側の開閉幅の大きい右側縁側に設けてあるため、コネクタ１９１ａ，１９１ｂ同士の係合、離脱を確実にかつ円滑に行う上で有効となる。
【００４４】
ところで、遊技盤１３１および取付枠１１１における寸法公差ないし組み付け誤差等の影響により、遊技盤１３１が遊技盤止着位置Ｂへと回動する際、遊技盤側コネクタ１９１ａと取付枠側コネクタ１９１ｂが相対的に位置ずれを起こし、うまく係合できない場合が生じ得る。このような場合に対処するべく、遊技盤側コネクタ１９１ａの遊技盤１３１への取付部、あるいは取付枠側コネクタ１９１ｂの取付枠１１１への取付部に関しては、それらのいずれか一方または双方につき、取付部に対する上下方向、左右方向あるいは前後方向の位置関係が適宜シフトする構成とし、係合に際しコネクタの位置を適宜変化させ、コネクタ同士の位置関係の微調整を可能とする構成としている。このようなコネクタの取付部に対する微調整を可能とする構成、すなわち位置ずれ調整構造が、第２の実施形態では、遊技盤側コネクタ１９１ａについて実現されている。
【００４５】
遊技盤側コネクタ１９１ａの遊技盤１３１に対する取付構造を図１４〜図１６に基づいて説明する。なお、本実施の形態では、２個の遊技盤側コネクタ１９１ａが左右に横並びに配置された場合が示されている。遊技盤１３１の背面側に合成樹脂製のコネクタホルダ２０１が固着されている。コネクタホルダ２０１は、保持すべきコネクタ１９１ａのコネクタ本体部１９１ａ２の外周形状よりも大きい内周形状を有する前後方向に貫通された筒状のコネクタ保持枠部２０１ａを一体に備えており、当該コネクタ保持枠部２０１ａに対してコネクタ１９１ａのコネクタ本体部１９１ａ２が前方から差し込まれる。
【００４６】
コネクタ１９１ａは、上下のフランジ部１９１ａ１がコネクタホルダ２０１の上下のフランジ部２０１ｂに差し込み方向から当接された状態（図１５参照）で、当該コネクタ保持枠部２０１ａのコネクタ差込側端面（前面側）に形成された弾性変形可能な係止爪２０１ｃ（図１６参照）によりコネクタ本体部１９１ａ２が抜け止めされている。すなわち、コネクタ１９１ａはコネクタホルダ２０１に対して係脱方向（前後方向）への移動を規制された状態で、係脱方向と交差する面方向としての左右および上下方向には、コネクタ保持枠部２０１ａの内周面とコネクタ本体部１９１ａ２の外周面との間の隙間Ｃの範囲内で移動自在とされている。これにより、遊技盤側コネクタ１９１ａと取付枠側コネクタ１９１ｂとの係合時において、両コネクタ１９１ａ，１９１ｂの相対的な位置ずれが調整される構成となっている。なおコネクタホルダ２０１は、上下のフランジ部２０１ｂがビス２０３によって遊技盤１３１の背面に固着されている。
【００４７】
ところで、コネクタ保持枠部２０１ａ内に差し込まれたコネクタ１９１ａは、当該コネクタ１９１ａに接続される電気配線２０５を、図１６に示すように、例えば遊技盤１３１の背面において左側へ引き出すように配線したとき、電気配線２０５の弾性撓みに起因する弾性力によって遊技盤面に対して右向きに傾斜（図示の二点鎖線参照）することになる。このような傾斜は、遊技盤側コネクタ１９１ａが取付枠側コネクタ１９１ｂに係合する際の支障となる可能性がある。そこで、この実施の形態では、コネクタ保持枠部２０１ａの側面部に、内周面側に傾斜する弾性変形可能な適数個（図１４には２個の場合を示す）の矯正板２０１ｄを一体に形成し、この矯正板２０１ｄによりコネクタ保持枠部２０１ａ内に差し込まれたコネクタ本体部１９１ａ２の側面を弾性的に加圧付勢することで、コネクタ１９１ａの向きが取付枠側コネクタ１９１ｂの向きに近づくように矯正している。
【００４８】
なお、遊技盤側コネクタ１９１ａと取付枠側コネクタ１９１ｂとの係合は、遊技盤１３１の遊技盤支持部材１５１を介しての回動動作によって行なわれる構成のため、係合動作を円滑に行なわせるには、回動中心側、すなわち、左側に向ける（傾斜する）ことが好ましい。したがって、本実施の形態では、図１６において遊技盤側コネクタ１９１ａが左側に傾くように加圧付勢した状態を実線にて示している。上記の矯正板２０１ｄは、いわゆる「付勢手段」を構成する。
【００４９】
また遊技盤側コネクタ１９１ａの電気配線２０５を横方向に取り回すために必要な空間を確保するために、本実施の形態においては、図１５および図１６に示すように、遊技盤１３１に前後方向に貫通する貫通孔２０７を設けるとともに、遊技盤１３１の前面側における少なくとも貫通孔２０７の前側部分に不透明なパネル飾り（遊技領域１０４の周りを装飾する、例えば合成樹脂製で前方に所定高さで突設した部分）２０８が配置される。すなわち、貫通孔２０７とパネル飾り２０８とによって、電気配線２０５の取り回し用として十分な広さを有し、かつ前方から視認不能な配線取り回し用の空間２０６が形成されている。このような配線取り回し用の空間２０６を設けたことによって、遊技盤側コネクタ１９１ａおよびコネクタホルダ２０１を遊技盤１３１に近接して配置できるため、遊技盤側コネクタ１９１ａおよびコネクタホルダ２０１の遊技盤１３１背面からの突出高さを低く抑えることが可能となり、このことによって遊技機全体の奥行き寸法の縮小化が図られることになる。また遊技盤側コネクタ１９１ａの電気配線１０５を基板に接続する際の当該電気配線１０５の取り回し作業を空間２０６を利用して楽に行うことができる。また貫通孔２０７の内壁面のうち、電気配線２０５の引き出し側にはテーパー面２０７ａが形成されており、このテーパー面２０７ａによって電気配線２０５の引き出しの容易化が図られている。
【００５０】
上記のように、第２の実施形態においては、遊技盤側コネクタ１９１ａは、取付枠側コネクタ１９１ｂに対応するように矯正板２０１ｄにより向きを矯正された状態で、かつ係脱方向に交差する面方向としての上下方向および左右方向の動きを許容された状態で保持された構成とされる。これにより、遊技盤側コネクタ１９１ａと取付枠側コネクタ１９１ｂとの係合時において、両コネクタ１９１ａ，１９１ｂの相対的な位置ずれが調整され、両コネクタ１９１ａ，１９１ｂは、円滑にしてかつ確実に係合されることとなる。
【００５１】
（第３の実施形態）
次に本発明の第３の実施形態を図１７〜図２０に基づいて説明する。図１７は遊技機本体部１０３の取付枠１１１を前方から見た正面図であり、図１８は同じく取付枠１１１を前方から見た斜視図であり、それぞれ遊技盤１３１が止着されていない状態が示されている。図１９は遊技盤１３１の裏面側を示す背面図である。図２０の（Ａ）、（Ｂ）は取付枠１１１に対する遊技盤１３１の取付態様およびコネクタの係合態様を示す断面図である。この第３の実施形態においては、上述した第２の実施形態と同様に、遊技盤側コネクタ１９１ａと取付枠側コネクタ１９１ｂとの接続部位を、遊技機本体部１０３の背面側に配置される球タンク１９３、タンクレール１９５、および払い出し装置１９７から可及的に離間した位置に設定することにより、両コネクタ１９１ａ，１９１ｂおよびそれに連なる電気配線に電気ノイズの影響が及ぶことを可及的に回避する構成としている。上記の球タンク１９３、タンクレール１９５、および払い出し装置１９７が、本発明における「球流下経路」に対応する。また当該遊技盤側コネクタ１９１ａと取付枠側コネクタ１９１ｂを用いて、遊技盤１３１側の電気機器と遊技機本体部１０３側の電気機器との接続を一箇所で行う構成としている。
【００５２】
さらに第３の実施形態では、取付枠１１１に対する遊技盤１３１の取付構造につき、前述した第１および第２の実施形態において説明した回動式の遊技盤支持部材１５１を廃止し、遊取付枠１１１に設けた係合部材２１１を介して遊技盤１３１を前方から嵌め込んで取付ける構成としている。以下、遊技盤１３１の取付構造につき、図面を参照して詳細に説明する。
図１７および図１８に示すように、取付枠１１１の一側縁部としての左側縁部には、遊技盤１３１を当該取付枠１１１に取付けるに際し、当該遊技盤１３１の側縁部が係合可能な上下２個の係合部材２１１が一体に設けられている。係合部材２１１は取付枠１１１に形成される遊技盤装着凹部１１１ａよりも前側に配置されており、図２０の（Ａ）に示すように、その後面が遊技盤装着凹部１１１ａの凹部前面（凹部底面）１１１ｄと平行な平面状に形成されるとともに、係合部材２１１の後面と遊技盤装着凹部１１１ａの凹部前面１１１ｄとの間隔Ｌが遊技盤１３１の板厚Ｔに対し等しく設定されている。
【００５３】
また図２０に示すように、取付枠１１１の内周部に形成される遊技盤装着凹部１１１ａのうち、係合部材２１１が設定される側の左側縁部には、干渉回避用の切欠部１１１ｅが形成されている。このような切欠部１１１ｅを設定することにより、図２０の（Ａ）に二点鎖線で示すように、遊技盤１３１を取付枠１１１に対し左側縁部が奥側、右側が手前側となるようにやや傾斜した状態で遊技盤１３１の左側縁部を係合部材２１１と遊技盤装着凹部１１１ａの凹部前面１１１ｄとの間に干渉を回避しつつ挿入することが可能とされる。この場合、遊技盤１３１の挿入動作を容易にするべく、取付枠１１１の遊技盤装着凹部１１１ａの下縁部における左隅部には、遊技盤１３１を載せることができる重量支持部２１３が設定されている（図２０および図１８参照）。すなわち、重量支持部２１３によって遊技盤１３１の重量を支持した状態で、上記の挿入動作を行い得る構成とされている。このように遊技盤１３１を傾斜状態で挿入する位置が、遊技盤着脱位置Ａである。そして遊技盤１３１を差し込んだ後、係合部材２１１側（左側縁部）を支点にして遊技盤止着位置Ｂ側へ概ね水平状に回動（旋回）することにより、取付枠１１１の遊技盤装着凹部１１１ａに嵌め込むことができる（図２０の（Ｂ）参照）。
【００５４】
遊技盤装着凹部１１１ａに嵌め込まれた状態の遊技盤１３１は、図２０の（Ｂ）に示すように、左側縁部後面が遊技盤装着凹部１１１ａの凹部前面１１１ｄに当接した状態で当該左側縁部前面が係合部材２１１の後面に係合する。これにより遊技盤１３１の左側縁部は、前後方向への直線状の動きが規制される。遊技盤装着凹部１１１ａに嵌め込んだ遊技盤１３１は、その後、当該遊技盤１３１の、例えば右側縁部の上下２箇所に設けたロック手段（図示省略）を介して取付枠１１１に止着される。かくして、遊技盤１３１は取付枠１１１に対しがたつきのない状態で確実に固定することができる。
上記のようにして、遊技盤１３１を取付枠１１１に取付ける動作、すなわち遊技盤着脱位置Ａから遊技盤止着位置Ｂへの回動動作により、遊技盤側コネクタ１９１ａが取付枠側コネクタ１９１ｂに係合され、それに伴いコネクタ１９１ａ，１９１ｂに備えられた電気接点が相互に接続される構成とされる。
【００５５】
遊技盤側コネクタ１９１ａと取付枠側コネクタ１９１ｂは、図１７および図１８に示す球タンク１９３、タンクレール１９５、および払い出し装置１９７から可及的に離間した位置、すなわち遊技機の前方から見て、取付枠１１１および遊技盤１３１の右側縁部下方領域に配置されている（図１７および図１９参照）。なお図１９に示すように、遊技盤１３１の背面側下部領域には、電気機器が配置される構成とされ、当該電気機器の一例として、メイン制御基板１８１、サブ制御基板１８３が図示されている。また遊技盤１３１の概ね中央部には、表示装置取付部１３５が形成されている。
また特に図示はしないが、遊技盤側コネクタ１９１ａにつき、第２の実施形態で説明した位置ずれ調整構造（図１４〜図１６参照）が採用されている。従って、遊技盤側コネクタ１９１ａと取付枠側コネクタ１９１ｂとの係合時において、両コネクタ１９１ａ，１９１ｂの相対的な位置ずれが調整され、両コネクタ１９１ａ，１９１ｂは、円滑にしてかつ確実に係合あるいは離脱されることとなる。
【００５６】
上記のように、第３の実施形態によれば、コネクタ１９１ａ，１９１ｂの接続部位を、静電気が帯電した球が貯留され通過する球流下経路としての、球タンク１９３、タンクレール１９５、払い出し装置１９７を流下する球の静電気の影響を避けることが可能な位置、すなわち、遊技機の前方から見て、右側縁部下方領域に配置したことにより、コネクタ１９１ａ，１９１ｂおよびそれに連なる電気配線に及ぼす静電気の影響を合理的に回避あるいは低減することが可能となった。上記の帯電した球の静電気の影響を避けることが可能な位置、すなわち、右側縁部下方領域が、本発明における「電気ノイズ干渉回避位置」に対応する。またコネクタ１９１ａ，１９１ｂは、遊技盤１３１を取付枠１１１に取付ける際、回動支点側とは反対側の開閉幅の大きい右側縁側に設けてあるため、コネクタ１９１ａ，１９１ｂ同士の係合、離脱を確実にかつ円滑に行う上で有効となる。
【００５７】
また第３の実施形態によれば、遊技盤１３１を、取付枠１１１の一側縁部である左側縁部に一体に設けた固定状の係合部材２１１と遊技盤装着凹部１１１ａの凹部前面１１１ｄとの間に挿入後、当該係合部材２１１側を支点にして概ね水平状に回動させて取付ける構成としたので、第１および第２の実施形態で説明した遊技盤支持部材１５１を廃止することができる。その結果、構造を簡素化できる。また遊技盤１３１の取付けおよび取り外しは、取付枠１１１に設けた重量支持部２１３によって遊技盤１３１の重量を支持した状態で行うことができる構成である。このため、取付枠１１１に対する遊技盤１３１の取付け作業を簡便に行うことができる。
【００５８】
また第３の実施形態においては、図１８に示すように、第２の実施形態で説明した後方へ回動する機構盤が存在しない構成であり、遊技機本体部１０３の背面側に球タンク１９３、タンクレール１９５（図１７参照）および払い出し装置１９７が直接あるいは適宜ブラケットを介して固定状に取付けられた構成としている。
通常、機構盤が遊技機本体部１０３に対し後方に回動する構成の遊技機に本発明を適用しようとすれば、取付枠側コネクタ１９１ｂの電気配線を一度機構盤のヒンジ側（回動支点側）に延長し、その上で遊びを持たせた状態で、機構盤に装着されている基板（払い出し基板等）に接続する構成を採用することになる。
しかし第３の実施の形態に記載の遊技機では、後方に回動する機構盤が存在しない構成であり、遊技機本体部に装着した基板も後方に回動することがない。それゆえ取付枠側コネクタ１９１ｂの電気配線をヒンジ側に延長したり遊びを設けたりすることなく上記の基板に配線接続することができる。
【００５９】
なお上述した実施形態では、遊技盤１３１の電気的接続に際し、電気接点を内部に収容するコネクタ同士の係合を介して行ったが、これをプラグ端子等の他の形態のものに適宜代替することが可能である。また第２の実施形態および第３の実施形態では、遊技盤側コネクタ１９１ａにつき、コネクタ相互の位置ずれを吸収することが可能な位置調整構造を有するとして説明したが、遊技盤側コネクタ１９１ａに変えて取付枠側コネクタ１９１ｂに位置ずれ調整構造を採用してもよい。
【００６０】
また第１および第２の実施形態では、遊技盤１３１の側縁部を遊技盤支持部材１５１に取付けた状態で、当該遊技盤１３１の重量を支持しつつ水平方向に回動して取付枠１１１に止着する構成を採用したが、遊技盤の下縁部を支持しつつ、当該下縁部回りに遊技盤を上下方向に回動させて取付枠に止着する変更例を採用してもよい。
【００６１】
この場合、遊技盤支持部材については、遊技盤の下面および側面に接触する収容空間を構成し、遊技盤を遊技盤支持部材にセットする場合には、遊技盤の遊技盤支持部材への取付作業性を向上するべく、遊技盤の両側面を収容空間の側面部に摺接させつつ当該収容空間に収容するのが好ましい。
また上述した実施の形態では、パチンコ機について説明したが、本発明はパチンコ機に限られるものではなく、例えばアレンジボール機、パチンコ球を使用してスロット遊技を行う遊技機等、その他の遊技機であっても適用することが可能である。
【００６２】
さらに、本発明の趣旨により、下記に述べる各種の態様を構成することが可能である。
（態様１）
「請求項１に記載の遊技機であって、
前記遊技盤側の電気接点は、前記遊技盤の前記取付枠への取付動作により、当該取付枠側の電気接点とワンタッチ状に係合するべく互いに雌雄形状とされた一対のコネクタとして構成されることを特徴とする遊技機。」
【００６３】
態様１に記載の発明によれば、請求項１に記載の遊技機における遊技盤側の電気接点は、遊技盤の遊技盤支持部材への取付動作により、遊技盤支持部材側の電気接点とワンタッチ状に係合するべく、互いに雌雄形状とされた一対のコネクタとして構成されている。本発明における「ワンタッチ状に係合」の意義としては、雄雌形状のいずれかに形成された遊技盤のコネクタが、雄雌形状の他方に形成された相手方のコネクタに係合することで、コネクタに配設された電気接点が一度に接合される態様を広く含むものとする。かかる構成により、遊技盤支持部材に対する遊技盤取付作業において、作業者は電気配線の接続作業を特に意識することなく、単に遊技盤の取付動作を行うだけで、当該遊技盤に関する電気配線の接続を遂行することができ、遊技盤の取付に関する合理性を一層向上することができる。
【００６４】
（態様２）
「態様１に記載の遊技機であって、
前記一対のコネクタの接続部位は、前記遊技機本体の背面側に設けられた球流下経路における電気ノイズ干渉回避領域に配置されていることを特徴とする遊技機。」
【００６５】
態様２に記載の発明によれば、態様１に記載の遊技機における一対のコネクタの接続部位は、遊技機本体の背面側に設けられた球流下経路における電気ノイズ干渉回避領域に配置されている構成とされる。ここで「球流下経路」とは、典型的には、遊技機がパチンコ機の場合であれば、島設備から供給され、帯電の可能性が高い多量の球を貯留し、通過させる部品としての、球タンク、タンクレール、払い出し装置等がこれに該当する。また「電気ノイズ干渉回避領域」としては、「球流下通路」から可及的に離間する位置が好適である。上記の球流下経路を流動する球に帯電した静電気は、当該球流下経路に近接するコネクタおよびそれに連なる電気配線に対し電気ノイズの影響を及ぼす原因となる。本発明では、コネクタの接続部位を、上記球流下経路における電気ノイズ干渉回避領域に配置したことにより、コネクタおよびそれに連なる電気配線に対する電気ノイズの影響を可及的に低減することが可能となる。
【００６６】
（態様３）
「態様２に記載の遊技機であって、
前記球流下経路は、遊技機本体背面側の両側領域における一方の側部領域に配置され、前記コネクタは、前記球流下経路とは対向する側の側部領域に配置されていることを特徴とする遊技機。」
【００６７】
態様３に記載の発明によれば、態様２に記載の遊技機における球流下経路は、遊技機本体背面側の両側領域における一方の側部領域に配置され、コネクタは、球流下経路とは対向する側の側部領域に配置されている構成とされる。かかる構成とすることで、コネクタおよびそれに連なる電気配線を球流下経路から遠ざけることができ、これによりコネクタおよびそれに連なる電気配線に対する電気ノイズの影響を可及的に低減することが可能となる。
【００６８】
（態様４）
「態様２または３に記載の遊技機であって、
前記コネクタの接続部位の設定位置は、遊技機本体の前方から見て、右側縁部の下部領域であることを特徴とする遊技機。」
【００６９】
態様４に記載の発明によれば、態様２または３に記載の遊技機におけるコネクタの接続部位の配置位置は、遊技機本体の前方から見て、右側縁部の下部領域である構成とされる。通常、パチンコ機の場合、球タンクおよびタンクレールは、パチンコ機の背面上部に配置され、またタンクレールに連接される球の払い出し装置は、遊技機本体の前方から見て、背面側の左側縁部に配置される。さらには遊技に用いられた遊技球（アウト球、入賞球等）を集める集球通路が、背面側中央下部付近に配置されている。このようなことから、態様４の発明によれば、コネクタの接続部位を右側縁部の下部領域に設定することにより、当該コネクタの接続部位が、帯電した球の流動領域から最も離間した位置となり、電気ノイズの影響を最も受け難い合理的な配置が実現される。
【００７０】
（態様５）
「態様２〜４のいずれかに記載の遊技機であって、
前記取付枠には、前記遊技盤の重量を支持した状態で当該取付枠に対して開いた第１の位置と閉じた第２の位置との間で概ね水平に回動可能とされた遊技盤支持部材が設けられており、前記第１の位置において前記遊技盤支持部材に取付けられた前記遊技盤は、前記遊技盤支持部材によって重量を支持された状態を維持しつつ、当該遊技盤支持部材を介して前記第２の位置へ回動し、当該第２の位置において前記取付枠に取付けられる構成としたことを特徴とする遊技機。」
【００７１】
態様５に記載の発明によれば、態様２〜４のいずれかに記載の遊技機において、取付枠には、遊技盤の重量を支持した状態で当該取付枠に対して開いた第１の位置と閉じた第２の位置との間で概ね水平に回動可能とされた遊技盤支持部材が設けられており、第１の位置において遊技盤支持部材に取付けられた遊技盤は、遊技盤支持部材によって重量を支持された状態を維持しつつ、当該遊技盤支持部材を介して前記第２の位置へ回動し、当該第２の位置において取付枠に取付けられる構成とされる。
かかる構成によれば、コネクタのノイズ問題を回避することが可能とされた遊技機において、遊技盤支持部材を介して遊技盤を取付枠に取り付けることにより、遊技盤を取付枠へ取付ける際の作業性を合理的に向上することが可能となる。
【００７２】
（態様６）
「態様５に記載の遊技機であって、
前記遊技盤支持部材は、前記取付枠の側縁への取付部を中心に概ね水平面内に回動する回動部と、前記遊技盤の重量を支持可能に当該回動部下部から交差状に延在する遊技盤支持部と、前記遊技盤の上縁部に当接して前記遊技盤の傾動を規制するべく前記回動部上部から交差状に延在する遊技盤傾動規制部とが一体状に形成されるとともに、前記回動部、遊技盤支持部および遊技盤傾動規制部は、少なくとも前記遊技盤の側縁部を収容可能な凹部を有することを特徴とする遊技機。」
【００７３】
態様６に記載の発明によれば、態様５に記載の遊技機における遊技盤支持部材は、取付枠の側縁への取付部を中心に概ね水平面内に回動する回動部と、遊技盤の重量を支持可能に当該回動部下部から交差状に延在する遊技盤支持部と、遊技盤の上縁部に当接して遊技盤の傾動を規制するべく回動部上部から交差状に延在する遊技盤傾動規制部とが一体状に形成された構成とされるとともに、少なくとも遊技盤の側縁部を収容可能な凹部が形成された構成とされる。作業者は遊技盤の側縁部を当該凹部に挿入して収容させることで遊技盤を容易に遊技盤支持部材にセットすることが可能となる。しかも凹部の上部側が遊技盤の不用意な傾動を規制するように機能するため、遊技盤の保持能力を合理的に確保しつつ、作業性を向上することが可能である。なお凹部は、遊技盤の側縁部を含む一部を収容する態様、および遊技盤全部を収容する態様のいずれも包含する。
【００７４】
（態様７）
「態様５または６に記載の遊技機であって、
前記取付枠には、前記遊技盤支持部材が前記第１の位置と第２の位置との間で回動する際、当該回動動作の全領域にわたって前記遊技盤支持部材および当該遊技盤支持部材に取付けられた遊技盤の重量を支持する重量支持部が設定されていることを特徴とする遊技機。」
【００７５】
態様７に記載の発明によれば、態様５または６に記載の遊技機において、取付枠には、遊技盤支持部材が前記第１の位置と第２の位置との間で回動する際、当該回動動作の全領域にわたって遊技盤支持部材および当該遊技盤支持部材に取付けられた遊技盤の重量を支持する重量支持部が設定された構成とされる。なお遊技盤支持部材および遊技盤の重量を重量支持部によって支持する態様としては、典型的には、重量支持部に概ね水平状の載置面を形成し、当該載置面に遊技盤支持部材の下端部を載せて支持する態様がこれに該当するが、遊技盤支持部材の上端部あるいは上下方向中間部を吊下げ状に支持する態様をも包含するものである。
かかる構成によれば、遊技盤支持部材の回転軸部に対して遊技盤の重量が集中的に作用することを回避することができる。これにより、遊技盤支持部材の回転軸部の荷重を低減して当該回転軸部の耐久性を向上することができる。
【００７６】
（態様８）
「態様７に記載の遊技機であって、
前記取付枠は、前記遊技盤支持部材が前記第２の位置から前記第１の位置へ回動される際、当該第１の位置を越えて回動しないように当該遊技盤支持部材の回動を規制する回転位置規制部を有することを特徴とする遊技機。」
【００７７】
態様８に記載の発明によれば、態様７に記載の遊技機における取付枠は、遊技盤支持部材が第２の位置から第１の位置へ回動される際、第１の位置を越えて回動しないように当該遊技盤支持部材の回動を規制する回転位置規制部を有する構成とされる。なお「回転位置規制部」を備える態様としては、例えば重量支持部が遊技盤支持部材の下端部を載置して支持する構成の場合であれば、当該載置面に上向きに突設される突起あるいは段差部等がこれに該当する。かかる構成によれば、遊技盤支持部材が重量支持部による支持領域から外れた領域において、当該遊技盤支持部材に対する遊技盤の取付け作業あるいは取外し作業が行われることを防止できる。その結果、遊技盤支持部材の回転軸部を保護できる。
【００７８】
（態様９）
「態様８に記載の遊技機であって、
前記取付枠には、前記第２の位置から前記第１の位置へ回動された前記遊技盤支持部材を当該第１の位置に保持する回転位置保持部が設けられ、当該回転位置保持部は、前記遊技盤支持部材に対し所定値を超える回動力が付与されたときに弾性変形することで当該遊技盤支持部材の回動を許容する構成とされることを特徴とする遊技機。」
【００７９】
態様９に記載の発明によれば、態様８に記載の遊技機において、取付枠には、第２の位置から第１の位置へ回動された遊技盤支持部材を当該第１の位置に保持する回転位置保持部が設けられている。そして当該回転位置保持部は、遊技盤支持部材に対し所定値を超える回動力が付与されたときに弾性変形することで当該遊技盤支持部材の回動を許容する構成とされる。かかる構成によれば、第１の位置へ回動された遊技盤支持部材は、回転位置規制部と回転位置保持部とによって第１の位置に確実に保持されることになる。これにより当該第１の位置において、遊技盤支持部材に対し遊技盤を取付けあるいは取外すときの遊技盤支持部材のふらつきを抑え、当該遊技盤の取付作業および取外し作業を安定状態で行うことができる。
【００８０】
（態様１０）
「態様２〜４のいずれかに記載の遊技機であって、
前記取付枠は、前記遊技盤を前方から嵌め込むことが可能な遊技盤装着凹部と、一方の側縁部に当該遊技盤装着凹部よりも前側に位置する係合部材とを有し、前記遊技盤は、前記取付枠に対し一方の側縁部が近接し、かつ他方の側縁部が離間するように傾斜させた状態で、当該一方の側縁部を前記係合部材と前記遊技盤装着凹部との間に横方向から挿入後、当該係合部材２１１側を支点にして概ね水平状に回動させて前記遊技盤装着凹部に取付ける構成としたことを特徴とする遊技機。」
【００８１】
態様１０に記載の発明によれば、態様２〜４のいずれかに記載の遊技機における取付枠は、遊技盤を前方から嵌め込むことが可能な遊技盤装着凹部と、一方の側縁部に当該遊技盤装着凹部よりも前側に位置する係合部材とを有する構成とされる。また遊技盤は、取付枠に対し一方の側縁部が近接し、かつ他方の側縁部が離間するように傾斜させた状態で、当該一方の側縁部を係合部材と遊技盤装着凹部との間に横方向から挿入後、当該係合部材２１１側を支点にして概ね水平状に回動させて遊技盤装着凹部に嵌め込んで取付ける構成とされる。
かかる構成によれば、コネクタのノイズ問題を回避することが可能とされた遊技機において、取付枠に対し、遊技盤の一方の側縁部側を支点にして概ね水平状に回動させて取付ける構成を簡単な構造で達成することができる。
【００８２】
（態様１１）
「態様１０に記載の遊技機であって、
前記取付枠には、前記遊技盤を当該取付枠に取付ける際、当該遊技盤の重量を支持する重量支持部を有することを特徴とする遊技機。」
【００８３】
態様１１に記載の発明によれば、態様１０に記載の遊技機において、取付枠には、遊技盤を当該取付枠に取付ける際、当該遊技盤の重量を支持する重量支持部を有する構成とされる。かかる構成によれば、遊技盤を、遊技盤の重量を重量支持部によって支持しつつ取付枠に取付けることができるため、取付枠に対する遊技盤の取付け作業を安定状態で楽に行うことが可能となる。
【００８４】
（態様１２）
「請求項１または態様１〜１１のいずれかに記載の遊技機であって、前記電気接点の少なくとも一つは、前記遊技盤に対する前記遊技盤支持部材の配置誤差に対応するように他の電気接点に対する相対的な位置関係が調整可能に構成されていることを特徴とする遊技機。」
【００８５】
態様１２に記載の発明によれば、請求項１または態様１〜１１のいずれかに記載の遊技機における電気接点の少なくとも一つは、遊技盤に対する遊技盤支持部材の配置誤差に対応するように、他の電気接点に対する相対的な位置関係が調整可能に構成される。これにより、遊技盤と遊技盤支持部材との間の組み付け誤差によって電気接点同士の相対位置関係にずれが生じるような場合に容易に対処することが可能な構成が得られることとなる。
【００８６】
（態様１３）
「遊技盤と、前記遊技盤が取付けられる取付枠と、前記遊技盤の重量を支持した状態で前記取付枠に対して開いた第１の位置と閉じた第２の位置との間で概ね水平に回動可能とされた遊技盤支持部材とを有し、
前記第１の位置において前記遊技盤支持部材に取付けられた前記遊技盤は、前記遊技盤支持部材によって重量を支持された状態を維持しつつ、当該遊技盤支持部材を介して前記第２の位置へ回動し、当該第２の位置において前記取付枠に取付けられることを特徴とする遊技機。」
【００８７】
態様１３に記載の発明によれば、遊技盤と、当該遊技盤が取付けられる取付枠と、遊技盤の重量を支持した状態で当該取付枠に対して開いた第１の位置と閉じた第２の位置との間で概ね水平に回動可能とされた遊技盤支持部材とを有する遊技機が構成される。遊技機としては、典型的にはパチンコ機やアレンジボール機等がこれに該当する。本発明に係る遊技機においては、上記第１の位置において遊技盤支持部材に取付けられた遊技盤は、その重量を支持された状態を維持しつつ、当該遊技盤支持部材を介して第２の位置へ回動され、さらに当該第２の位置において取付枠に取付けられるよう構成される。なお「閉じた位置」とは、完全に閉じた位置は勿論のこと、完全に閉じた位置に至る直前の位置をも包含する概念である。
【００８８】
一般に、遊技盤には、板自体が重いことに加え、表示装置や入賞装置、あるいは当該装置を駆動するための電装機器ないし制御基板等が配置される関係で、遊技機を構成する部材の中でも相当の重いものとなる。このため、遊技機製造時、あるいは遊技盤交換時の作業性を高度に合理化する要請が高い部材であるといえる。本発明では、遊技盤を、取付枠に対して開いた干渉されにくい位置において遊技盤支持部材に取付けることが可能である。このとき遊技盤支持部材が遊技盤の重量を支持する構成により、作業者は比較的重量のある遊技盤の重量を手で支持する必要がない。そして遊技盤支持部材が遊技盤の重量を支持したままの状態で、取付枠に対し開いた第１の位置から閉じた第２の位置へと遊技盤を回動させ、第２の位置で遊技盤を取付枠に止着することができ、遊技盤を取付枠へ取付ける際の作業性を合理的に向上することが可能となる。
【００８９】
なお本発明に係る遊技盤支持部材は、遊技盤が取付けられる際、当該遊技盤の下縁の全部に当接してその重量を支持する態様、遊技盤の下縁の一部あるいは側縁の一部に当接してその重量を支持する態様のいずれも好適に包含するものとする。
【００９０】
（態様１４）
「態様１３に記載の遊技機であって、
前記遊技盤支持部材は、さらに当該遊技盤支持部材に取付けられた前記遊技盤の上縁部に当接することにより、前記遊技盤がその下端部周りに傾動するのを規制する遊技盤傾動規制部が一体に形成されていることを特徴とする遊技機。」
【００９１】
態様１４に記載の発明によれば、態様１３に記載の遊技機における遊技盤支持部材につき、さらに当該遊技盤支持部材に取付けられた遊技盤の上縁部に当接することにより、遊技盤がその下端部周りに傾動するのを規制する遊技盤傾動規制部が一体に形成される。遊技盤支持部材が遊技盤の重量を支持した状態で、さらに遊技盤支持部材に一体状とされた遊技盤傾動規制部が遊技盤の上縁部に当接することで、遊技盤の上部下部の双方を支持可能となる。これによって、作業中に遊技盤がバランスを崩して、遊技盤の下端部周りに傾動するリスクを回避することが可能となる。
【００９２】
（態様１５）
「態様１４に記載の遊技機であって、
前記遊技盤傾動規制部は、弾発力を介して前記遊技盤に密着することを特徴とする遊技機。」
【００９３】
態様１５に記載の発明によれば、態様１４に記載の遊技機における遊技盤傾動規制部は、弾発力を介して遊技盤に密着するよう構成される。かかる構成により遊技盤傾動規制部による遊技盤上縁部の保持の確実性を増すことが可能となる。
【００９４】
（態様１６）
「態様１３〜１５のいずれかに記載の遊技機であって、
前記遊技盤支持部材は、前記取付枠の側縁への取付部を中心に概ね水平面内に回動する回動部と、前記遊技盤の重量を支持可能に当該回動部下部から交差状に延在する遊技盤支持部と、前記遊技盤の上縁部に当接して前記遊技盤の傾動を規制するべく前記回動部上部から交差状に延在する遊技盤傾動規制部とが一体状に形成されるとともに、前記回動部、遊技盤支持部および遊技盤傾動規制部は、少なくとも前記遊技盤の側縁部を収容可能な凹部を有することを特徴とする遊技機。」
【００９５】
態様１６に記載の発明によれば、態様１３〜１５のいずれかに記載の遊技機における遊技盤支持部材は、取付枠の側縁への取付部を中心に概ね水平面内に回動する回動部と、遊技盤の重量を支持可能に当該回動部下部から交差状に延在する遊技盤支持部と、遊技盤の上縁部に当接して遊技盤の傾動を規制するべく回動部上部から交差状に延在する遊技盤傾動規制部とが一体状に形成された構成とされるとともに、少なくとも遊技盤の側縁部を収容可能な凹部が形成された構成とされる。作業者は遊技盤の側縁部を当該凹部に挿入して収容させることで遊技盤を容易に遊技盤支持部材にセットすることが可能となる。しかも凹部の上部側が遊技盤の不用意な傾動を規制するように機能するため、遊技盤の保持能力を合理的に確保しつつ、作業性を向上することが可能である。なお凹部は、遊技盤の側縁部を含む一部を収容する態様、および遊技盤全部を収容する態様のいずれも包含する。
【００９６】
（態様１７）
「態様１６に記載の遊技機であって、
前記遊技盤を収容する凹部の開口部には、当該凹部への遊技盤誘導手段が設けられていることを特徴とする遊技機。」
【００９７】
態様１７に記載の発明によれば、態様１６に記載の遊技機における遊技盤収容のための凹部は、その開口部に当該凹部への遊技盤誘導手段を有するように構成される。この誘導手段を介して作業者は遊技盤を遊技盤支持部材の収容凹部に容易に収容させることが可能となる。なお誘導手段の具体的態様としては、例えば収容凹部の開口部を、収容部よりも幅広の状態となるように拡幅する等の構成、あるいは遊技盤を拗らせずに確実に収容するべく、開口部にガイド溝を形成する等といった構成が採用可能である。
【００９８】
（態様１８）
「態様１６または１７に記載の遊技機であって、
前記遊技盤支持部材は、前記凹部に収容された遊技盤側縁部の前面側を支持する前面支持板部と、遊技盤側縁部の後面側を支持する後面支持板部とを有しており、前記前面支持板部による支持領域が前記後面支持板部による支持領域よりも狭くなるように設定されていることを特徴とする遊技機。」
【００９９】
態様１８に記載の発明によれば、態様１６または１７に記載の遊技機における遊技盤支持部材は、凹部に収容された遊技盤側縁部の前面側を支持する前面支持板部と、遊技盤側縁部の後面側を支持する後面支持板部とを有する構成とされる。かかる構成を採用することにより、遊技盤は、遊技盤支持部材に取付けた状態において、前面支持板部と後面支持板部とにより前後方向の動きを規制された状態で支持される。これにより安定した支持状態を得ることができる。また態様２に記載の発明では、前面支持部による支持領域は、後面支持部による支持領域よりも狭くなるように設定された構成とされる。これにより、遊技盤支持部材を介しての合理的な組み付け構成を提供しつつ、遊技盤の表面側に形成される遊技領域の狭小化を回避することが可能となる。
【０１００】
（態様１９）
「態様１３〜１８のいずれかに記載の遊技機であって、
前記取付枠には、前記遊技盤支持部材が前記第１の位置と第２の位置との間で回動する際、当該回動動作の全領域にわたって前記遊技盤支持部材および当該遊技盤支持部材に取付けられた遊技盤の重量を支持する重量支持部が設定されていることを特徴とする遊技機。」
【０１０１】
態様１９に記載の発明によれば、態様１３〜１８のいずれかに記載の遊技機において、取付枠には、遊技盤支持部材が前記第１の位置と第２の位置との間で回動する際、当該回動動作の全領域にわたって遊技盤支持部材および当該遊技盤支持部材に取付けられた遊技盤の重量を支持する重量支持部が設定された構成とされる。なお遊技盤支持部材および遊技盤の重量を重量支持部によって支持する態様としては、典型的には、重量支持部に概ね水平状の載置面を形成し、当該載置面に遊技盤支持部材の下端部を載せて支持する態様がこれに該当するが、遊技盤支持部材の上端部あるいは上下方向中間部を吊下げ状に支持する態様をも包含するものである。
かかる構成によれば、遊技盤支持部材の回転軸部に対して遊技盤の重量が集中的に作用することを回避することができる。これにより、遊技盤支持部材の回転軸部の荷重を低減して当該回転軸部の耐久性を向上することができる。
【０１０２】
（態様２０）
「態様１３〜１９のいずれかに記載の遊技機であって、
前記取付枠は、前記遊技盤支持部材が前記第２の位置から前記第１の位置へ回動される際、当該第１の位置を越えて回動しないように当該遊技盤支持部材の回動を規制する回転位置規制部を有することを特徴とする遊技機。」
【０１０３】
態様２０に記載の発明によれば、態様１３〜１９のいずれかに記載の遊技機における取付枠は、遊技盤支持部材が第２の位置から第１の位置へ回動される際、第１の位置を越えて回動しないように当該遊技盤支持部材の回動を規制する回転位置規制部を有する構成とされる。なお「回転位置規制部」を備える態様としては、例えば重量支持部が遊技盤支持部材の下端部を載置して支持する構成の場合であれば、当該載置面に上向きに突設される突起あるいは段差部等がこれに該当する。かかる構成によれば、遊技盤支持部材が重量支持部による支持領域から外れた領域において、当該遊技盤支持部材に対する遊技盤の取付け作業あるいは取外し作業が行われることを防止できる。その結果、遊技盤支持部材の回転軸部を保護できる。
【０１０４】
（態様２１）
「態様２０に記載の遊技機であって、
前記取付枠には、前記第２の位置から前記第１の位置へ回動された前記遊技盤支持部材を当該第１の位置に保持する回転位置保持部が設けられ、当該回転位置保持部は、前記遊技盤支持部材に対し所定値を超える回動力が付与されたときに弾性変形することで当該遊技盤支持部材の回動を許容する構成とされることを特徴とする遊技機。」
【０１０５】
態様２１に記載の発明によれば、態様２０に記載の遊技機において、取付枠には、第２の位置から第１の位置へ回動された遊技盤支持部材を当該第１の位置に保持する回転位置保持部が設けられている。そして当該回転位置保持部は、遊技盤支持部材に対し所定値を超える回動力が付与されたときに弾性変形することで当該遊技盤支持部材の回動を許容する構成とされる。かかる構成によれば、第１の位置へ回動された遊技盤支持部材は、回転位置規制部と回転位置保持部とによって第１の位置に確実に保持されることになる。これにより当該第１の位置において、遊技盤支持部材に対し遊技盤を取付けあるいは取外すときの遊技盤支持部材のふらつきを抑え、当該遊技盤の取付作業および取外し作業を安定状態で行うことができる。
【０１０６】
（態様２２）
「態様１３〜２１のいずれかに記載の遊技機であって、
前記遊技盤に電気接点が設けられており、当該電気接点は、前記遊技盤が前記遊技盤支持部材に取付けられる際に当該取付動作に基づいて前記遊技盤支持部材に設けられた電気接点と電気的に接続されることを特徴とする遊技機。」
【０１０７】
態様２２に記載の発明によれば、態様１３〜２１のいずれかに記載の遊技機における遊技盤に電気接点が設けられており、当該電気接点は、遊技盤が遊技盤支持部材に取付けられる際に、当該取付動作に基づいて、遊技盤支持部材に設けられた電気接点と電気的に接続されるように構成される。遊技盤支持部材を介して遊技盤を取付枠に取付ける際に、遊技盤を遊技盤支持部材に取付ける動作に基づいて、電気接点の接合作業が同時に行えるため、さらに合理的な遊技盤の取付けに資することになる。
【０１０８】
（態様２３）
「態様２２に記載の遊技機であって、
前記遊技盤側の電気接点は、前記遊技盤の遊技盤支持部材への取付動作により、前記遊技盤支持部材側の電気接点とワンタッチ状に係合するべく互いに雌雄形状とされた一対のコネクタとして構成されることを特徴とする遊技機。」
【０１０９】
態様２３に記載の発明によれば、態様２２に記載の遊技機における遊技盤側の電気接点は、遊技盤の遊技盤支持部材への取付動作により、遊技盤支持部材側の電気接点とワンタッチ状に係合するべく、互いに雌雄形状とされた一対のコネクタとして構成されている。本発明における「ワンタッチ状に係合」の意義としては、雄雌形状のいずれかに形成された遊技盤のコネクタが、雄雌形状の他方に形成された相手方のコネクタに係合することで、コネクタに配設された電気接点が一度に接合される態様を広く含むものとする。かかる構成により、遊技盤支持部材に対する遊技盤取付作業において、作業者は電気配線の接続作業を特に意識することなく、単に遊技盤の取付動作を行うだけで、当該遊技盤に関する電気配線の接続を遂行することができ、遊技盤の取付に関する合理性を一層向上することができる。
【０１１０】
（態様２４）
「態様２２または２３に記載の遊技機であって、前記電気接点の少なくとも一つは、前記遊技盤に対する前記遊技盤支持部材の配置誤差に対応するように他の電気接点に対する相対的な位置関係が調整可能に構成されていることを特徴とする遊技機。」
【０１１１】
態様２４に記載の発明によれば、態様２２または２３に記載の遊技機における電気接点の少なくとも一つは、遊技盤に対する遊技盤支持部材の配置誤差に対応するように、他の電気接点に対する相対的な位置関係が調整可能に構成される。これにより、遊技盤と遊技盤支持部材との間の組み付け誤差によって電気接点同士の相対位置関係にずれが生じるような場合に容易に対処することが可能な構成が得られることとなる。
【０１１２】
（態様２５）
「態様２３または２４に記載の遊技機であって、
前記遊技盤支持部材は、当該遊技盤支持部材に前記遊技盤を取付ける際、当該遊技盤を前記コネクタ同士の係合がなされる方向へ移動するように誘導する遊技盤案内部を有することを特徴とする遊技機。」
【０１１３】
態様２５に記載の発明によれば、態様２３または２４に記載の遊技機における遊技盤支持部材は、当該遊技盤支持部材に遊技盤を取付ける際、当該遊技盤をコネクタ同士の係合がなされる方向へ移動するように誘導する遊技盤案内部を有する構成とされる。かかる構成により、コネクタ同士の係合動作をより確実に行うことができる。
【０１１４】
（態様２６）
「態様１３〜２５のいずれかに記載の遊技機であって、
前記遊技盤が前記遊技盤支持部材へ正常に取り付けられたか否かを表示するための手段が配置されていることを特徴とする遊技機。」
【０１１５】
態様２６に記載の発明によれば、態様１３〜２５のいずれかに記載の遊技機における遊技盤が、遊技盤支持部材へ正常に取付けられたか否かを表示する手段が配置される。これにより遊技盤の遊技盤支持部材への取付作業の確実性が担保されることとなる。
【０１１６】
（態様２７）
「態様２６に記載の遊技機であって、
前記表示手段は、前記遊技盤支持部材の所定位置に形成された開口部と、前記遊技盤の所定位置に配された正常取付状態を示す符号とを有し、前記遊技盤が前記遊技盤支持部材へ正常に取付けられた際に前記符号が前記開口部に臨むように構成することを特徴とする遊技機。」
【０１１７】
態様２７に記載の発明によれば、態様２６に記載の遊技機における表示手段につき、遊技盤支持部材の所定位置に形成された開口部と、遊技盤の所定位置に配された正常取付状態を示す符号とを有するよう構成される。そして遊技盤が遊技盤支持部材へ正常に取付けられた際には、当該符号が開口部に臨むように構成する。これによって遊技盤の遊技盤支持部材への取付けの正確性を目視で確認することが可能となり、遊技盤の遊技盤支持部への取付作業の合理化に資することとなる。
【０１１８】
（態様２８）
「態様１３〜２７のいずれかに記載の遊技機であって、
前記遊技盤を前記取付枠に止着するためのロック手段を有し、当該ロック手段は、前記遊技盤が水平面に回動して前記取付枠から離脱するのを規制するとともに、前記遊技盤に対して上下方向に付勢力を作用することを特徴とする遊技機。」
【０１１９】
請求項２８に記載の発明によれば、態様１３〜２７のいずれかに記載の遊技機において、遊技盤を取付枠に止着するためのロック手段が配される。当該ロック手段は、遊技盤が水平方向に回動して取付枠から離脱するのを規制するとともに、遊技盤に対して上下方向に付勢力を作用するよう構成される。このロック手段による上下方向への付勢力を介することで、遊技盤を取付枠にロックする際、かかるロック動作によって遊技盤を当該取付枠に密着状に止着することが可能となり、合理的な遊技盤の取付枠への止着作業を遂行可能となる。
【０１２０】
（態様２９）
「態様１３〜２８のいずれかに記載の遊技機であって、
前記遊技盤を前記取付枠に解除自在に止着するためのロック手段を有し、当該ロック手段は、前記遊技盤の前記取付枠への止着を解除する際に、当該遊技盤を前記取付枠から水平方向に離脱させる付勢力を作用することを特徴とする遊技機。」
【０１２１】
請求項２９に記載の発明によれば、態様１３〜２８のいずれかに記載の遊技機につき、さらに遊技盤を取付枠に解除自在に止着するためのロック手段が配される。このロック手段は、遊技盤の前記取付枠への止着を解除する際に、遊技盤を取付枠から水平方向に離脱させる付勢力を作用するよう構成する。従って上記作業とは反対に、遊技盤を取付枠から離脱させる場合に、遊技盤と取付枠とのロックを解除すると遊技盤が取付枠から自然と離脱するように構成することが可能となり、遊技盤の取付枠からの離脱作業を容易なものとする。とりわけ本発明は、遊技盤が取付枠に密接状に止着されるとともに、遊技機の背面側に作業者の手が入りにくい、いわゆるクローズタイプの遊技機において有用である。
【符号の説明】
【０１２２】
１０１  遊技機
１０３  遊技機本体部
１０９  重量支持部材
１０９ａ  上面
１０９ｂ  回転位置規制突起
１１１  取付枠
１１１ａ  遊技盤装着凹部
１１１ｂ  凹部下面
１１１ｃ  配線用溝
１１１ｄ  凹部前面
１１１ｅ  切欠部
１１３  回転ヒンジの回動位置保持突起
１１５  遊技盤上下付勢機構付きロック手段
１１７  ロックハンドル
１１９  遊技盤押し出し機構付きロック手段
１２１  ロックハンドル
１３１  遊技盤
１３３  遊技領域
１３５  表示装置取付部
１３７ａ，１３７ｂ  遊技盤側コネクタ
１３９  複数の電気接点
１４１  正常取付状態表示記号
１４３  上下付勢ロック用係止部
１５１  遊技盤支持部材
１５３  回転ヒンジ部材
１５５  回動部
１５５ａ  溝
１５５ｂ  前面支持板部
１５５ｃ  後面支持板部
１５７  遊技盤支持部
１５７ａ  溝
１５９  遊技盤傾動規制部
１５９ａ  溝
１６１  付勢凸部
１６３  誘導部
１７１  遊技盤収容部
１７３  遊技盤支持部材側コネクタ
１７５  複数の電気接点
１７９  正常取付状態表示窓
１８１  メイン制御基板
１８３  サブ制御基板
１８５  外部端子板
１８７  払い出し制御基板
１８９  発射制御基板
１９１ａ  遊技盤側コネクタ
１９１ａ１  フランジ部
１９１ａ２  コネクタ本体部
１９１ｂ  取付枠側コネクタ
１９３  球タンク
１９５  タンクレール
１９７  払い出し装置
２０１  コネクタホルダ
２０１ａ  コネクタ保持枠部
２０１ｂ  フランジ部
２０１ｃ  係止爪
２０１ｄ  矯正板
２０３  ビス
２０５  電気配線
２０６  配線取り回し用の空間
２０７  貫通孔
２０７ａ  テーパー面
２０８  パネル飾り
２１１  係合部材
２１３  重量支持部
【図１】
2010115546.tif 000003
【図２】
2010115546.tif 000004
【図３】
2010115546.tif 000005
【図４】
2010115546.tif 000006
【図５】
2010115546.tif 000007
【図６】
2010115546.tif 000008
【図７】
2010115546.tif 000009
【図８】
2010115546.tif 000010
【図９】
2010115546.tif 000011
【図１０】
2010115546.tif 000012
【図１１】
2010115546.tif 000013
【図１２】
2010115546.tif 000014
【図１３】
2010115546.tif 000015
【図１４】
2010115546.tif 000016
【図１５】
2010115546.tif 000017
【図１６】
2010115546.tif 000018
【図１７】
2010115546.tif 000019
【図１８】
2010115546.tif 000020
【図１９】
2010115546.tif 000021
【図２０】
2010115546.tif 000022